(57)【要約】【課題】オペレート時に外部衝撃を受けた場合であっても、ヘッドクラッシュ等の発生を極力防止し得るＨＤＤ等を提供する。【解決手段】磁気ヘッドスライダが取り付けられるロードビームと、ロードビームと連続して接続されたヘッドアームとからなるサスペンションにおいて、ヘッドアーム後端部にダミーウエイトを取付け、磁気ヘッドスライダ、ロードビーム、ヘッドアームおよびダミーウエイト全てを含む重心近傍にこれらをヴォイスコイルモータの揺動部と接続する連結部材の固定位置が設けられることとする。【選択図】　図１
2004030847.tif 000002
【特許請求の範囲】
【請求項１】
磁気ヘッドスライダが一端部に取り付けられるロードビームと、前記ロードビームの他端部とその先端部が接続されたヘッドアームとを有するヘッド支持機構もしくはサスペンション装置であって、
前記ヘッドアーム後端部にはダミーウエイトが取り付けられ、前記磁気ヘッドスライダ、ロードビーム、ヘッドアームおよびダミーウエイト全てを含む重心は、前記ヘッドアームが記録媒体の半径方向に対して回動する際の中心、および前記ヘッドアームが前記記録媒体の記録面に対して垂直な方向に回動する際の中心と一致することを特徴とするサスペンション装置。
【請求項２】
前記ロードビームおよびヘッドアームは、その延在方向における中心線を一致させるように接続されており、前記ダミーウエイトの取付位置、および前記ヘッドアームを前記記録媒体の半径方向に回動させるボイスコイルモータと前記ヘッドアームとを接続するための連結部材の固定位置は、前記中心線に対して対象となるように配置されることを特徴とする請求項１記載のサスペンション装置。
【請求項３】
前記ロードビームおよびヘッドアームは、単一の部材からなることを特徴とする請求項１または２記載のサスペンション装置。
【請求項４】
前記ロードビームおよびヘッドアームは樹脂により形成されていることを特徴とする請求項３記載のサスペンション装置。
【請求項５】
磁気ヘッドスライダ、前記磁気ヘッドスライダが一端部に取り付けられるロードビーム、および前記ロードビームの他端とその先端部が接続されたヘッドアームとを有する磁気ヘッド装置であって、
前記ヘッドアーム後端部にはダミーウエイトが取り付けられ、前記磁気ヘッドスライダ、ロードビーム、ヘッドアームおよびダミーウエイト全てを含む重心は、前記磁気ヘッドが記録媒体の半径方向に対向して回動する際の中心、および前記磁気ヘッドが前記記録媒体の記録面に対して垂直な方向に回動する際の中心と一致することを特徴とする磁気ヘッド装置。
【請求項６】
前記ロードビームおよびヘッドアームは、その延在方向における中心線を一致させるように接続されており、前記ダミーウエイトの取付位置、および前記磁気ヘッドを前記記録媒体の半径方向に回動させるボイスコイルモータと前記ヘッドアームとを接続するための連結部材の固定位置は、前記中心線に対して対象となるように配置されることを特徴とする請求項５記載の磁気ヘッド装置。
【請求項７】
前記ロードビームおよびヘッドアームは、単一の部材からなることを特徴とする請求項５または６記載の磁気ヘッド装置。
【請求項８】
前記ロードビームおよびヘッドアームは樹脂により形成されていることを特徴とする請求項７記載の磁気ヘッド装置。
【請求項９】
磁気ヘッドスライダ、前記磁気ヘッドスライダが一端部に取り付けられるロードビーム、および前記ロードビームの他端部とその先端部が接続されたヘッドアームとからなる磁気ヘッドと、前記磁気ヘッドを揺動可能に支持する支持アームを有するヴォイスコイルモータの揺動部とを有するヘッドアクチュエータであって、
前記ヘッドアーム後端部にはダミーウエイトが取り付けられ、前記ヘッドアームは連結部材を介して前記支持アームに接続されており、
前記ヘッドアームは、前記支持アームに設けられたピボットピンによって、前記磁気ヘッドスライダ、ロードビーム、ヘッドアームおよびダミーウエイト全ての重心において前記支持アームから隔置する方向に付勢され、略水平状態を維持して前記支持アームから所定距離離れて支持されていることを特徴とするヘッドアクチュエータ。
【請求項１０】
前記ロードビームおよびヘッドアームは、その延在方向における中心線を一致させるように接続されており、前記ダミーウエイト、連結部材の固定位置、およびピボットピンによる付勢位置は、前記中心線に対して対象となるように配置されることを特徴とする請求項９記載のヘッドアクチュエータ。
【請求項１１】
前記連結部材は弾性体からなることを特徴とする請求項９記載のヘッドアクチュエータ。
【請求項１２】
前記弾性体は略Ｕ字形状を有する板バネであって、コーナー部および端部は前記中心線に沿って配置され、前記コーナ部は前記支持アームおよび前記ヘッドアームの一方に固定され、前記端部は前記支持アームおよび前記ヘッドアームの他方に固定されることを特徴とする請求項１１記載のヘッドアクチュエータ。
【請求項１３】
前記ロードビームおよびヘッドアームは、樹脂からなる単一の部材として形成されていることを特徴とする請求項９記載のヘッドアクチュエータ。
【請求項１４】
請求項５乃至８何れかに記載の磁気ヘッド装置を搭載していることを特徴とする磁気記録装置。
【請求項１５】
請求項９乃至１３何れかに記載のヘッドアクチュエータを搭載していることを特徴とする磁気記録装置。
【発明の詳細な説明】
【０００１】
【発明の属する技術分野】
本発明は、サスペンション装置、磁気ヘッド装置、ヘッドアクチュエータ、ならびに磁気記録装置に係り、特に、オペレート時の耐衝撃性の向上を図るようにしたヘッド支持機構もしくはサスペンション装置、磁気ヘッド装置、ヘッドアクチュエータ、ならびに磁気記録装置に関する。
【０００２】
【従来の技術】
図６は、従来の磁気記録装置の概略を示す説明図である。同図に示すように磁気記録装置１０１では、回転可能な磁気記録媒体となる磁気ディスク１０２と、この磁気ディスク１０２上で浮上した磁気ヘッド１０３を前記磁気ディスク１０２の半径方向に移動させるためのアクチュエータ１０４とを有している。可動コイル１０５と磁気回路１０６とはここで、ヴォイスコイルモータ（以下ＶＣＭと述べる。）を構成している。
【０００３】
このように構成された磁気記録装置１０１では、あらかじめ磁気ディスク１０２の表面に書き込まれたサーボ信号（位置情報）を前記磁気ヘッド１０３で読み取り、この読み取り情報をもとに、磁気ヘッド１０３を磁気ディスク１０２表面に対して移動させている。具体的には、磁気ヘッド１０３の反対側に設けられた可動コイル１０５に通電を行い、磁気回路１０６中に矢印１０７の方向に力を発生させ、前記磁気ヘッド１０３を目的のトラック（位置）まで移動させるようにしている。
【０００４】
図７は、磁気ディスクに対する磁気ヘッドの状態を示す説明図である。同図に示すように、磁気ヘッド１０３の中央部には、ロードビーム１０９が設けられている。そして当該ロードビーム１０９の片側端部はアクチュエータ１０４におけるヘッドアーム１１５との接合をなすベースプレート１０８に固定されており、前記ロードビーム１０９における他方側端部には、スライダ１１０が固定されている。なおロードビーム１０９とベースプレート１０８との境界部分１１１には弾性バネ部が形成されている。
【０００５】
このような磁気ヘッド等を用いて、磁気ディスク１０２に対する情報の書き込み等を行う際には、磁気ディスク１０２は数千ｒｐｍで回転され、この回転を維持した状態で書き込み処理等が行われる。この回転に巻き込まれた空気によって発生する圧力と、アクチュエータ１０４に配置された不図示のバネ等の負荷とのバランスによって、磁気ヘッド１０３は磁気ディスク１０２に対して所定の微少間隔を保持することが可能となる。この所定間隔を維持することによって、情報の書き込み等を、安定して行うことが可能となる。
【０００６】
ＨＤＤの大容量化および高記録密度化は急速に進められており、最近では、１平方インチあたりのビット数が４０ギガビットを越えるものが発表されている。また、容量あたりに要する価格も急激に低下してきている。このような状況に鑑みて、従来のサーバー、パーソナルコンピュータ等への利用のみならず、ＨＤＤの他のアプリケーションへの適用が検討されている。具体的な例としては、デジタルスチルカメラ、携帯電話等の携帯端末用としての記憶装置への適用が考えられている。
【０００７】
【発明が解決しようとする課題】
ノートパソコンと呼ばれる携帯型のパーソナルコンピュータを含め、携帯端末に求められる要求性能として、小型、薄型化と共に耐衝撃性が挙げられる。しかしながら、ＨＤＤは、衝撃力に対して一般的に脆弱とされている。これは、前述したように、ＨＤＤが情報の書き込み等を行う際に、高速に回転する磁気ディスクに対して磁気ヘッドが微少間隔を保つことを要するためである。すなわち、書き込み等の操作を行った状態で衝撃力を受けた場合、高速で回転する磁気ディスクに磁気ヘッドが接触していわゆるヘッドクラッシュが生じる蓋然性が高いためである。
【０００８】
このような問題に対処するために、例えば特開平９−８２０５２には、ロードビームの一部を延長してこの延長部分に荷重を与え、外部衝撃に起因してスライダに生じする衝撃加速度の中心位置をスライダの回転中心にずらせる構成が開示されている。また、特開平８−１０２１５９あるは特開２００１−５７０３２には、外部衝撃に起因するスライダの振れに対して、その振れ方向にリミッタを配置することで振れの低減を図る構成が開示されている。しかしながら、これらの開示された技術は、あくまで通常の使用状況で生じ得る振れの低減を図るものであり、例えばＨＤＤの落下等、携帯機器として考慮すべき状況にまで対処し得るものではなかった。
【０００９】
すなわち、従来におけるＨＤＤは、静置状態で使用されることを前提に設計されている。従って、ＨＤＤが外部からの大きな衝撃力を受けた場合の、磁気ヘッド、サスペンション等の挙動に関しては何ら考慮されていないのが現状である。本発明はこのような状況に鑑みて為されてものであり、大きな衝撃力を受けた場合であっても、ヘッドクラッシュとの危険性を極力低減し得るサスペンション、磁気ヘッド、ヘッドアクチュエータ、ならびに磁気記録装置を提供することを目的としている。
【００１０】
【課題を解決するための手段】
上記課題を解決するために、本発明に係るいわゆる磁気ヘッド支持機構もしくはサスペンション装置は、磁気ヘッドスライダが一端部に取り付けられるロードビームと、ロードビームの他端部とその先端部が接続されたヘッドアームとを有する磁気ヘッド支持機構もしくはサスペンション装置であって、ヘッドアーム後端部にはダミーウエイトが取り付けられ、磁気ヘッドスライダ、ロードビーム、ヘッドアームおよびダミーウエイト全てを含む重心は、ヘッドアームが記録媒体の半径方向に対して回動する際の中心、およびヘッドアームが記録媒体の記録面に対して垂直な方向に回動する際の中心と一致することを特徴としている。
【００１１】
具体的には、磁気ヘッドスライダ、ロードビーム、ヘッドアームおよびダミーウエイト全てを含む重心近傍にこれらをヴォイスコイルモータの揺動部と接続する連結部材の固定位置が設け、且つピボットピンによってこれらを前述の垂直方向の回動中心にて支持すること前述の特徴を満たすこととしている。
【００１２】
なお、上述のヘッド支持機構もしくはサスペンション装置においては、ロードビームおよびヘッドアームは、その延在方向における中心線を一致させるように接続されており、ダミーウエイトの取付位置、およびヘッドアームを記録媒体の半径方向に回動させるボイスコイルモータとヘッドアームとを接続する連結部材の固定位置は、中心線に対して対象となるように配置されることが好ましい。また、ロードビームおよびヘッドアームは、単一の部材として形成されることが好ましい。また、ロードビームおよびヘッドアームは樹脂によって形成されることが好ましい。
【００１３】
また、上記課題を解決するために、本発明に係る磁気ヘッド装置は、磁気ヘッドスライダ、磁気ヘッドスライダが一端部に取り付けられるロードビーム、およびロードビームの他端とその先端部が接続されたヘッドアームとを有する磁気ヘッド装置であって、ヘッドアーム後端部にはダミーウエイトが取り付けられ、磁気ヘッドスライダ、ロードビーム、ヘッドアームおよびダミーウエイト全てを含む重心は、ヘッドアームが記録媒体の半径方向に対して回動する際の中心、およびヘッドアームが記録媒体の記録面に対して垂直な方向に回動する際の中心と一致することを特徴としている。
【００１４】
具体的には、磁気ヘッドスライダ、ロードビーム、ヘッドアームおよびダミーウエイト全てを含む重心近傍にこれらをヴォイスコイルモータの揺動部と接続する連結部材の固定位置が設け、且つピボットピンによってこれらを前述の垂直方向の回動中心にて支持すること前述の特徴を満たすこととしている。
【００１５】
なお、上述の磁気ヘッド装置においては、ロードビームおよびヘッドアームは、その延在方向における中心線を一致させるように接続されており、ダミーウエイトおよびヘッドアームを記録媒体の半径方向に回動させるボイスコイルモータとヘッドアームとを接続する連結部材の固定位置は、中心線に対して対象となるように配置されることが好ましい。また、ロードビームおよびヘッドアームは、単一の部材として形成されることが好ましい。また、ロードビームおよびヘッドアームは樹脂から形成されることが好ましい。
【００１６】
また、上記課題を解決するために、本発明に係るヘッドアクチュエータは、磁気ヘッドスライダ、磁気ヘッドスライダが一端部に取り付けられるロードビーム、およびロードビームの他端部とその先端部が接続されたヘッドアームとからなる磁気ヘッドと、磁気ヘッドを揺動可能に支持する支持アームを有するヴォイスコイルモータの揺動部とからなるヘッドアクチュエータであって、ヘッドアーム後端部にはダミーウエイトが取り付けられ、ヘッドアームは連結部材を介して支持アームに接続されており、磁気ヘッドスライダ、ロードビーム、ヘッドアームおよびダミーウエイトは、支持アームに設けられたピボットピンによって重心において支持アームから隔置する方向に付勢され、略水平状態を維持して支持アームから所定距離離れて支持されていることを特徴としている。
【００１７】
なお、上述のヘッドアクチュエータにおいては、ロードビームおよびヘッドアームは、その延在方向における中心線を一致させるように接続されており、ダミーウエイト、連結部材の固定位置、およびピボットピンによる付勢位置は、中心線に対して対象となるように配置されることが好ましい。また、連結部材は弾性体からなることが好ましく、さらには、弾性体は略Ｕ字形状を有する板バネであって、コーナー部および端部は前記中心線に沿って配置され、コーナ部は支持アームおよびヘッドアームの一方に固定され、端部は支持アームおよびヘッドアームの他方に固定されることが好ましい。また、ロードビームおよびヘッドアームは、樹脂からなる単一の部材として形成されることが好ましい。
【００１８】
また、上記課題を解決するために、本発明に係る磁気記録装置は、上述した磁気ヘッド装置の何れかあるいは上述したヘッドアクチュエータの何れかを用いることが好ましい。
【００１９】
【実施例】
（第１の実施例）
図１に本発明の第１の実施例に係る磁気ディスク装置における要部の概略側面を、また、図２に当該要部の上面図を示す。なお、図に示す例は、磁気ディスク両面への情報の書き込み等が可能な装置について示すものである。さらに、発明の内容について容易に理解し得るように、磁気ディスク、およびサスペンションを構成するフレキシャー、プレート等を削除して、要部を示している。また、以降参照として用いる各図において、同一の構成要素については同一の参照符号を用いて説明することとする。
【００２０】
図中、ヘッドアーム１５は、その先端部において不図示のプレートを介してロードビーム９を支持している。ロードビーム９は、その一端をヘッドアーム１５によって支持されると共に、他端において磁気ヘッドスライダ３を支持している。磁気ヘッドスライダ３は、当該スライダ上に形成された不図示の記録再生素子端部が磁気記録媒体と対向するように支持されている。ヘッドアーム１５は、その後端部にダミーウエイト１７が配置、固定されている。なお、本実施例においては、これらロードビーム９およびヘッドアーム１５は、これら中心線が一致するように接続されている。
【００２１】
磁気ヘッドスライダ３、ロードビーム９、ヘッドアーム１５およびダミーウエイト１７は、一体として不図示のヴォイスコイルモータ（ＶＣＭ）の揺動部５によって支持されている。具体的には、これら磁気ヘッドスライダ等は、ヘッドアーム１５上に存在するこれら磁気ヘッドスライダ等の長さ方向における重心回りに配置された、連結部材である略Ｕ字形状の板バネ１６を介して、ＶＣＭの揺動部５から張り出した支持アーム２０によって支持されている。なお、ダミーウエイト１７は、この支持アーム２０等の配置に影響を与えないよう、同時にロードビーム９およびヘッドアーム１５における中心線に対して両側均等に重量配分が為されるよう分割して配置されている。
【００２２】
また、支持アーム２０には、磁気ヘッドスライダ等を支持アーム２０から隔置するように付勢するピボットピン１８が設けられている。当該ピボットピンの付勢位置２１は、ロードビーム９、ヘッドアーム１５、ダミーウエイト１７等の長手方向における重心に略一致しており、これら磁気ヘッドスライダ等の中心線から等距離となる部分に対応する。なお、本実施例において、詳細には略Ｕ字形状の板バネ１６は、その中央のコーナー部分１６ａがヘッドアーム１５先端方向に向かうようにして支持アーム２０に固定されており、その端部１６ｂはヘッドアーム１５後端方向に向かうようにしてヘッドアーム１５に固定されている。
【００２３】
以上述べた配置において、略Ｕ字形状の板バネ１６を介して、磁気ヘッドスライダ等は、その重心近傍において支持アーム２０から隔置して支持される。このため、これら磁気ヘッドスライダ等は、常に略水平状態で支持されることとなる。従って、外部から大きな衝撃力が加えられた場合においても、これら磁気ヘッドスライダ等はロードビーム９、ヘッドアーム１５、ダミーウエイト１７等の重心がピボットピン１８による付勢位置２１と一致しているため、水平方向での状態を特に変化させず、鉛直方向にのみ振動することとなる。
【００２４】
ここで、略Ｕ字形状の板バネ１６によりピボットピン１８に発生する反力が、与えられた衝撃加速度と磁気ヘッドスライダ等の重量により発生する力に対して充分に大きい場合、鉛直方向に対しての磁気ヘッドスライダ等の移動を抑え、磁気ヘッドスライダと磁気ディスクとの接触の蓋然性を極力低減することが可能となる。さらに、ヘッドアーム等の剛性が印可される加速度に対して充分大きい場合には、ヘッドアーム等の鉛直方向への変形を充分に抑えることが可能となるため、磁気ヘッドスライダと磁気ディスクとの接触の蓋然性をさらに低減することが可能となる。
【００２５】
なお、本実施例においては、略Ｕ字形状の板バネ１６の支持アーム２０およびヘッドアーム１５それぞれへの取付は、スポット溶接あるいは接着剤による固定により為されている。このため、板バネ１６を各々のアームに対して取付ける際の個々の取付位置は、水平方向において異なっている。このため、ピボットピン１８を中心として、磁気ヘッドスライダを磁気ディスク表面に近づける方向に回転させようとするモーメント荷重が発生する。
【００２６】
従来の構造においては、アームヘッドとロードビームとの間に設けられた弾性バネ部によって、磁気ヘッドスライダを磁気ディスク表面に向けて付勢している。しかしながら、本発明を実施することによって、従来用いていた板バネを要さなくなる。従来用いていた板バネは、外部衝撃を受けた場合に、ここを基点とするこれら磁気ヘッドスライダ等の回転振動を生じさせる恐れがあったが、これを無くすことによって、振動を発生させる要因を減ずることができる。
【００２７】
また、本実施例においては、ダミーウエイト１７の重量を調整することによって前述の回転モーメントを相殺することとしている。しかしながら、ダミーウエイト１７の重量を調整することで、この回転モーメントを更に増減させることも可能である。また、これら磁気ヘッドスライダ等の重心を所定位置に固定する場合、通常は精度の高い組立を要する。
【００２８】
しかしながら、本発明においては、磁気ヘッドスライダ等をＶＣＭ等に組み付けた後にダミーウエイトの取付位置あるいは重量を調節する構成を付加することで、重心を所定位置に移動させることが可能である。また、ピボットピンを、支持アーム上でヘッドアームの長手方向に摺動可能とすることによっても、重心上を容易に支持することが可能となる。従って、以上の構成を含んだ本発明を実施することにより、ＨＤＤとしての組立の作業効率を高めることが可能となる。
【００２９】
なお、一般的にサスペンションと呼ばれる構成は、本発明におけるロードビーム、ヘッドアームおよびダミーウエイトを主たる構成とする部分に対応する。また、磁気ヘッドとは、このサスペンションに磁気ヘッドスライダ等を加えた部分に対応し、ヘッドアクチュエータとは、この磁気ヘッドスライダとＶＣＭとを接続したものに対応している。
【００３０】
（変形例）
第１の実施例の変形例として、略Ｕ字形状の板バネの支持アーム対する固定をナット等によって行う場合を示す。図３は、この取付状態を示す図であるが、図の理解を容易とするために、略Ｕ字形状の板バネのコーナー部１６ａのみを図中に示すこととする。磁気ヘッドスライダ等を揺動するＶＣＭの揺動部５は、ベアリング２５を介して回転軸２６に支持されることを要する。通常、この揺動部５は、そのアーム部分２０が、回転軸２６に回転可能に支持されたベアリングケース２７に対してナット２８等によって固定される。
【００３１】
本変形例においては、ベアリングケース２７とアーム部分２０との間に略Ｕ字形状の板バネ１６におけるコーナ部分１６ａを配置し、これら両部材によって挟持して固定している。ピボットピン１８はこのアーム部分２０上に設けられており、ヘッドアーム、ダミーウエイトおよび略Ｕ字形状の板バネ端部は、このベアリングケースとアーム部分とを避けて配置されている。当該構成とすることで、ＶＣＭに対してのこれら磁気ヘッドスライダ等の固定を容易に行うことが可能となり、ＨＤＤとしての組立の作業効率をさらに高めることが可能となる。
【００３２】
（第２の実施例）
図４に本発明の第２の実施例に係る磁気ディスク装置における要部の概略断面を、また、図５に当該要部の上面図を示す。なお、図に示す例は、磁気ディスク両面への情報の書き込み等が可能な装置について示すものである。さらに、第１の実施例の場合と同様に、発明の内容について容易に理解し得るように、磁気ディスク、およびサスペンションを構成するフレキシャー、プレート等を削除して、要部を示している。
【００３３】
本実施例は、第１の実施例に対して、支持アーム２０の配置、およびこれに伴った略Ｕ字形状の板バネ１６およびピボットピン１８の配置が異なっている以外、即ち、磁気ヘッドスライダ３、ロードビーム９、ヘッドアーム１５およびダミーウエイト１７、については第１の実施例における構成と同様である。従って、ここでは、この異なった部分についてのみ詳述する。
【００３４】
本実施例においては、単一の支持アーム２０を用いることとし、略Ｕ字形状の板バネ１６は、その中央のコーナー部分１６ａがヘッドアーム１５後端方向に向かうようにして支持アーム２０に固定されており、その端部１６ｂはヘッドアーム１５先端方向に向かうようにしてヘッドアーム１５に固定されている。なお、ピボットピン１８は、第１の実施例と同様に磁気ヘッドスライダ等の重心位置２１を支持するように支持アーム上に設けられている。
【００３５】
本実施例においても、第１の実施例と同様に板バネ１６を各々のアーム１５、２０に対して取付ける際の個々の取付位置は、水平方向において異なっており、引っ張り力を発生する位置がピボットピンの付勢位置２１に対して対象の位置となる。このため、本実施例においては、ピボットピン１８を中心として、磁気ヘッドスライダ３を磁気ディスク表面に近づける方向に回転させようとするモーメント荷重が発生する。
【００３６】
なお、ダミーウエイト１７による重心の調節等に関しては第１の実施例と同様であるため、ここでの記述は省略する。第２の実施例に示す構成とすることにより、ＶＣＭにおける支持アームをより簡略な構造とすることが可能となり、組立の容易化、ＶＣＭの低負荷化を図ることが可能となる。
【００３７】
以上に述べたように、本発明の如く、磁気ヘッドスライダ、ロードビーム、およびヘッドアーム等に、ダミーウエイトを付加し、これらをその重心近傍においてバネ等の弾性部材を介してこれらを支持するアームと接続することとし、且つピボットピンによってこれらを所定の位置に支持することにより、書き込み等の動作時であっても外部からの衝撃に耐え得るＨＤＤを提供することが可能となる。
【００３８】
なお、上述の実施例においては、ロードビームおよびヘッドアームは別体として記述しているが、これ等を一体として形成しても良い。具体的にはこれらを略Ｕ字形状の板バネと同じ素材から形成し、略Ｕ字形状の部分を打ち抜き加工によって形成しても良い。また、ロードビームおよびヘッドアームを樹脂等によって一体成形し、これに略Ｕ字形状の板バネを固定することとしても良い。なお、ロードビーム等を一体成形する場合、軽量、高剛性、且つ振動減衰能の高い材料からこれらを形成することが望ましい。
【００３９】
また、上述の実施例においては、支持アームと磁気ヘッドスライダ等を接続する連結部材として、弾性部材である略Ｕ字形状の板バネを用いているが、その形状はこれに限定されない。具体的には、当該板バネを略円環形状とし、その一部分あるいは特定部分を支持アームおよびヘッドアームのそれぞれに固定する等、種々の形状とすることが可能である。さらには、当該板バネを、コイルバネ、ゴム等、種々の弾性体に置き換えることも可能である。この場合、磁気ヘッドスライダ等をその重心位置近傍で容易に支持し得るようにピボットピンを配置し得る構造であれば、これら弾性体の形状、配置等は特に制限されない。また、この連結部材を、ヘッドアームあるいは支持アームと一体として成形することとしても良い。
【００４０】
また、本実施例においては、ピボットピンは支持アーム上に設けられることとしているが、ヘッドアーム側に形成することとしても良い。この場合、当該ピボットピンは、プレス加工等によって容易に且つ高い平坦性を備えて形成することが可能となる。また、ピボットピンはヘッドアームと支持アームとの距離を規定することから金属等の硬度あるいは剛性を有する材料から形成されることが好ましい。しかし、耐衝撃性という観点から振動減衰能の高い樹脂等を用いるあるいはその表面に樹脂等を被覆することとしても良い。さらに当該ピボットピンは、各アームヘッドに対して一面側にのみに配置されているが、これを両側に配置することとしても良い。この場合、一面側のピボットピンは実際にアームヘッドに付勢し、他面側のピボットピンは磁気ヘッドスライダ等が振動した際のリミッタとして作用することとなる。
【００４１】
【本発明の効果】
本発明の実施により、オペレート中に外部からの大きな衝撃力を受けた場合であっても、ヘッドクラッシュとの危険性を極力低減し得るサスペンション、磁気ヘッド、ヘッドアクチュエータ、ならびに磁気記録装置を提供することが可能となる。
【図面の簡単な説明】
【図１】本発明の第１の実施例に係る磁気ディスク装置における要部の概略断面を示す図である。
【図２】図１に示した要部を上方より見た状態の概略を示す図である。
【図３】第１の実施例の変形例に関し、ＶＣＭに対する取付部の概略構成を示す図である。
【図４】本発明の第２の実施例に係る磁気ディスク装置における要部の概略断面を示す図である。
【図５】図４に示した要部を上方より見た状態の概略を示す図である。
【図６】従来の磁気記録装置の概略構成を示す図である。
【図７】磁気ディスクに対する磁気ヘッドの状態を示す説明図である。
【符号の説明】
３　　磁気ヘッドスライダ
５　　揺動部
９　　ロードビーム
１５　　ヘッドアーム
１６　　板バネ
１７　　ダミーウエイト
１８　　ピボットピン
２０　　支持アーム（アーム部分）
２１　　付勢位置
２５　　ベアリング
２６　　回転軸
２７　　ベアリングケース
２８　　ナット
【図１】
2004030847.tif 000003
【図２】
2004030847.tif 000004
【図３】
2004030847.tif 000005
【図４】
2004030847.tif 000006
【図５】
2004030847.tif 000007
【図６】
2004030847.tif 000008
【図７】
2004030847.tif 000009